(57)【要約】【課題】屋根の強度低下を防ぐことができ、屋根の見栄えを良くすることができ、軒樋吊り具を取り付ける際の作業性を向上することができる、波形スレート屋根用の軒樋吊り具の取付構造を提供する。【解決手段】建物の構造体１の上部を覆う屋根部５１と、屋根部５１から湾曲されて下垂された軒先部５２とから構成された波形スレート屋根５用の軒樋吊金具４の取付構造であって、軒樋吊金具４は、軒先部５２の下方Ｄに配置される軒樋３が取り付けられる軒樋取付部４１と、構造体１と波形スレート屋根５の間に配置されるリップ溝形鋼１４が取り付けられるとともに、軒樋取付部４１に接続される躯体取付部４３とを備え、躯体取付部４３は、波形スレート屋根５とリップ溝形鋼１４との間隙に介在するとともに、固定具４６によって、リップ溝形鋼１４へ取り付けられている。【選択図】図１
2008144422.tif 000002
【特許請求の範囲】
【請求項１】
建物の構造体の上部を覆う屋根部と、該屋根部から湾曲されて下垂された軒先部とから構成された波形スレート屋根用の軒樋吊り具の取付構造であって、
前記軒樋吊り具は、前記軒先部の下方に配置される軒樋が取り付けられる軒樋取付部と、前記構造体と前記波形スレート屋根の間に配置される前記建物の躯体が取り付けられるとともに、前記軒樋取付部に接続される躯体取付部とを備え、
前記躯体取付部は、前記波形スレート屋根と前記躯体との間隙に介在するとともに、第一の固定具によって、前記躯体へ取り付けられている
ことを特徴とする波形スレート屋根用の軒樋吊り具の取付構造。
【請求項２】
前記軒樋吊り具は、前記軒樋取付部と前記躯体取付部を接続する接続部を更に備え、
前記躯体取付部および前記接続部の少なくとも一方には、上下方向に延びた長孔が形成され、
前記躯体取付部と前記接続部が、上下方向における前記軒樋吊り具の長さが所定の長さになるように、前記長孔に挿通された第二の固定具によって連結され、
前記躯体取付部は、前記接続部を介して、前記軒樋取付部と接続されている
ことを特徴とする請求項１に記載の波形スレート屋根用の軒樋吊り具の取付構造。
【請求項３】
前記躯体取付部には、前記躯体へ突出する係止片が形成され、
前記躯体取付部が前記躯体へ取り付けられる際に、前記係止片が前記躯体と係合することにより、前記躯体取付部と前記躯体は係止されている
ことを特徴とする請求項１または２に記載の波形スレート屋根用の軒樋吊り具の取付構造。
【発明の詳細な説明】
【技術分野】
【０００１】
本発明は、波形スレート屋根に使用される軒樋吊り具の取付構造に関する。
【背景技術】
【０００２】
従来から、軒樋吊り具の取付構造は、建物の構造体の上部を覆う屋根部と、屋根部から湾曲されて下垂された軒先部とから構成された波形スレート屋根において、軒樋吊り具を軒先部に取り付けたものが知られている（例えば、特許文献１および２参照）。
【０００３】
一般に、図５に示すように、軒樋吊り具１０４は、固定具１４３によって、波形スレート屋根１０５へ取り付けられている構造である。より具体的には、構造体１０１には、ブラケット１１１，１１２が固定されており、ブラケット１１１，１１２には、リップ溝形鋼１１３，１１４が固定されている。さらに、建物の構造体１０１の外方（即ち、図５に示す矢印Ｘの方向）においては、外壁として波形スレート１０２が、リップ溝形鋼１１３に固定されている。さらに、構造体１０１の上部においては、波形スレート屋根１０５が配設されている。この波形スレート屋根１０５は、構造体１０１の上部を覆う屋根部１５１と、屋根部１５１から湾曲されて下垂された軒先部１５２を備えている。波形スレート屋根１０５の軒先部１５２は、波形スレート１０２の外方Ｘに配設されるとともに、チャンネルボルトとナットから構成される固定具１５３によってリップ溝形鋼１１４に固定されている。また、軒樋吊り具１０４は、軒先部１５２の下方（即ち、図５に示す矢印Ｚの方向）に配置される軒樋１０３が取り付けられる軒樋取付部１４１と、軒樋取付部１４１に接続される屋根取付部１４２とを備えている。屋根取付部１４２は、波形スレート屋根１０５の波形状と当接するように形成されるとともに、ボルト１４３ａとナット１４３ｂとから構成される固定具１４３によって、波形スレート屋根１０５へ取り付けられている。このようにして、軒先部１５２の下方Ｚに軒樋１０３が配設され、波形スレート屋根１０５を流れ落ちる雨水が軒樋１０３に流入される構成となっている。
【特許文献１】特開平１０−２２７１０５号公報
【特許文献２】特開２０００−３２８７３８号公報（第６図）
【発明の開示】
【発明が解決しようとする課題】
【０００４】
ところで、上記軒樋吊り具１０４の取付構造によれば、屋根取付部１４２は、波形スレート屋根１０５に挿通されたボルト１４３ａとナット１４３ｂによって、波形スレート屋根１０５へ取り付けられている。即ち、波形スレート屋根１０５と屋根取付部１４２にボルト１４３ａが挿通され、ボルト１４３ａとナット１４３ｂが締め付けられている。従って、軒樋吊り具１０４の屋根取付部１４２を波形スレート屋根１０５へ取り付ける際に、ボルト１４３ａとナット１４３ｂを締める付ける加減を誤った場合に、波形スレート屋根１０５が破損してしまう場合があり、波形スレート屋根１０５の強度が低下してしまうという問題があった。
【０００５】
また、上記軒樋吊り具１０４の取付構造によれば、固定具１４３が、波形スレート屋根１０５において、外方Ｘへ露出している。従って、波形スレート屋根１０５の見栄えが悪くなるという問題があった。
【０００６】
また、上記軒樋吊り具１０４の取付構造によれば、波形スレート屋根１０５は、山部（即ち、外方Ｘへ突出する頂点部分）と谷部（即ち、図５に示す矢印Ｙの方向へ突出する）が交互に形成された波形状を備え、この波形スレート屋根１０５を構成する波形状の山部へ屋根取付部１４２が取り付けられる。このため、波形スレート屋根１０５へ屋根取付部１４２を取り付ける際に、波形スレート屋根１０５の波の山部に対して軒樋吊り具１０４の屋根取付部１４２を位置合わせする必要がある。従って、軒樋吊り具１０４を取り付ける際の作業性が悪いという問題があった。
【０００７】
本発明は、こうした実情に鑑みてなされたものであり、その目的は、屋根の強度低下を防ぐことができ、屋根の見栄えを良くすることができ、軒樋吊り具を取り付ける際の作業性を向上することができる、波形スレート屋根用の軒樋吊り具の取付構造を提供することにある。
【課題を解決するための手段】
【０００８】
請求項１に記載の発明は、建物の構造体の上部を覆う屋根部と、屋根部から湾曲されて下垂された軒先部とから構成された波形スレート屋根用の軒樋吊り具の取付構造であって、軒樋吊り具は、軒先部の下方に配置される軒樋が取り付けられる軒樋取付部と、構造体と波形スレート屋根の間に配置される建物の躯体が取り付けられるとともに、軒樋取付部に接続される躯体取付部とを備え、躯体取付部は、波形スレート屋根と躯体との間隙に介在するとともに、第一の固定具によって、躯体へ取り付けられていることを特徴とする。
【０００９】
同構成によれば、軒樋吊り具の躯体取付部は躯体へ取り付けられているため、軒樋吊り具が波形スレート屋根へ取り付けられる必要がなくなる。従って、軒樋吊り具が波形スレート屋根へ取り付けられる場合と比べ、波形スレート屋根の強度低下を防ぐことができる。また、躯体取付部は、波形スレート屋根と躯体との間隙に介在するため、第一の固定具が波形スレート屋根の外方に露出することがない。従って、波形スレート屋根の見栄えを良くすることができる。さらに、軒樋吊り具は波形スレート屋根へ取り付けられる必要がないため、波形スレート屋根を構成する波形状の山部に対して軒樋吊り具の躯体取付部を位置合わせする必要がなくなる。従って、軒樋吊り具を取り付ける際の作業性を向上することができる。
【００１０】
請求項２に記載の発明は、請求項１に記載の波形スレート屋根用の軒樋吊り具の取付構造であって、軒樋吊り具は、軒樋取付部と躯体取付部を接続する接続部を更に備え、躯体取付部および接続部の少なくとも一方には、上下方向に延びた長孔が形成され、躯体取付部と接続部が、上下方向における軒樋吊り具の長さが所定の長さになるように、長孔に挿通された第二の固定具によって連結され、躯体取付部は、接続部を介して、軒樋取付部と接続されていることを特徴とする。
【００１１】
同構成によれば、軒樋吊り具の上下方向の長さを所定の長さとすることができる。従って、軒先部の上下方向の長さに応じて、軒先部の下方に配置される軒樋の位置を調整することができる。なお、上下方向は鉛直方向である。
【００１２】
請求項３に記載の発明は、請求項１または２に記載の波形スレート屋根の軒樋吊り具の取付構造であって、躯体取付部には、躯体へ突出する係止片が形成され、躯体取付部が躯体へ取り付けられる際に、係止片が躯体と係合することにより、躯体取付部と躯体は係止されていることを特徴とする。
【００１３】
同構成によれば、軒樋吊り具の躯体取付部を躯体へ取り付ける前において、軒樋吊り具の移動を規制することができる。従って、軒樋吊り具を取り付ける際の作業性をより一層向上することができる。
【発明の効果】
【００１４】
本発明によれば、屋根の強度低下を防ぐことができ、屋根の見栄えを良くすることができ、軒樋吊り具を取り付ける際の作業性を向上することができる。
【発明を実施するための最良の形態】
【００１５】
以下に、図１〜３を用いて、本発明の好適な実施形態について説明する。図１は、本発明の実施形態に係る波形スレート屋根用の軒樋吊り具の取付構造を示す一部断面図であり、図２は、本発明の実施形態における軒樋吊り具を示す斜視図である。また、図３は、本発明の実施形態に係る波形スレート屋根用の軒樋吊り具の取付構造を示す断面図であり、図１におけるＳ−Ｓ断面図である。なお、上下方向は、鉛直方向であって図中の矢印Ａの方向とし、前後方向は、図中の矢印Ｂの方向とする。また、図中の、矢印Ｕは上側方向を示し、矢印Ｄは下側方向を示し、矢印Ｆは前側方向を示し、矢印Ｒは後側方向を示す。
【００１６】
本実施形態に係る波形スレート屋根用の軒樋吊り具の取付構造は、図１に示すように、建物の構造体１と、構造体１の前方に配設される外壁としての波形スレート２と、軒樋３と、軒樋３を取り付ける軒樋吊り具としての軒樋吊金具４と、構造体１の上部を覆うとともに軒樋３へ雨水を流入させる波形スレート屋根５とから構成される。
【００１７】
建物の構造体１には、図１に示すように、支持面１１ａ、１２ａを備えた支持具として略Ｌ字形状のブラケット１１，１２が固定されている。ブラケット１１の支持面１１ａには、リップ溝形鋼１３が固定されるとともに、リップ溝形鋼１３の溝が上方Ｕへ開口するように形成されている。また、ブラケット１２の支持面１２ａには、建物の躯体としてのリップ溝形鋼１４が固定されるとともに、リップ溝形鋼１４の溝が下方Ｄへ開口するように形成されている。このリップ溝形鋼１４は、構造体１と波形スレート屋根５の間に配置されるとともに、リップ溝形鋼１３に比べて、前方Ｆに配設されている。より具体的には、リップ溝形鋼１３の前側端面の上方Ｕにリップ溝形鋼１４の溝が位置するように、リップ溝形鋼１３，１４が配設されている。
【００１８】
波形スレート２は、図１に示すように、構造体１の前方Ｆにおいて、リップ溝形鋼１３へ固定されている。この波形スレート２の上側端部は、リップ溝形鋼１４の溝に挿入されている。また、波形スレート２を構成する波形状は、図３に示すように、水平方向（上下方向Ａと前後方向Ｂに直交する方向であって、図３の矢印Ｃの方向）へ交互に形成された、山部（即ち、前方Ｆへ突出した頂点部分）と谷部（即ち、後方Ｒへ突出した頂点部分）から構成されている。
【００１９】
軒樋３は、図１に示すように、断面略Ｕ字形状に形成されるとともに、軒樋３の後側端部の上側には、突出部３１が形成され、軒樋３の前側端部の上側には、溝３２が形成されている。また、突出部３１の前側には凹部３１ａが形成されている。
【００２０】
軒樋吊金具４は、図１乃至図３に示すように、軒樋３が取り付けられる軒樋取付部４１と、リップ溝形鋼１４が取り付けられるとともに、軒樋取付部４１に接続される躯体取付部４３と、軒樋取付部４１と躯体取付部４３を接続する接続部４２とを備えている。
【００２１】
より具体的には、軒樋取付部４１は、図１および図２に示すように、接続部４２を介して躯体取付部４３へ接続される接続壁部４１ａと、軒樋３の突出部３１と係合する後側保持部４１ｂと、軒樋３の溝３２と係合する前側保持部４１ｃとを備えている。接続壁部４１ａには、前後方向Ｂに延びた長孔４１ｅが形成されている。また、後側保持部４１ｂと突出部３１が係合されるとともに、前側保持部４１ｃと溝３２が係合される状態において、後側保持部４１ｂと突出部３１が係止されるとともに、前側保持部４１ｃと溝３２が係止された状態となっている。さらに、軒樋取付部４１は、後側保持部４１ｂと係合した突出部３１の凹部３１ａに差し込まれ、突出部３１と後側保持部４１ｂをより確実に係止させるための、弾性を有する係止板４１ｄを備えている。
【００２２】
接続部４２は、図１および図２に示すように、軒樋取付部４１の接続壁部４１ａと当接する接続壁部４２ａと、接続壁部４２ａの後側端部から上方Ｕへ延びた連結壁部４２ｂとを備えている。接続壁部４２ａには、貫通孔４２ｃが形成されるとともに、連結壁部４２ｂには、上下方向Ａに延びた長孔４２ｄが形成されている。
【００２３】
躯体取付部４３は、図１および図２に示すように、上下方向Ａに延びた躯体当接壁部４３ａを備えている。躯体当接壁部４３ａの下側端部には、貫通孔４３ｂが形成されるとともに、躯体当接壁部４３ａの上側には、貫通孔４３ｃが形成されている。さらに、躯体当接壁部４３ａの上側端部には、リップ溝形鋼１４の上側端面と係合する、躯体取付部４３の一部が折り曲げられリップ溝形鋼１４（即ち、後方Ｒ）へ突出する矩形状の係止片４３ｄが形成されている。
【００２４】
以上に説明した軒樋吊金具４の構成の下、軒樋取付部４１と接続部４２が、長孔４１ｅと貫通孔４２ｃに挿通されたボルト４４ａとハンドル付ナット４４ｂから構成された固定具４４によって接続されている。また、接続部４２と躯体取付部４３が、長孔４２ｄと貫通孔４３ｂに挿通されたボルト４５ａとハンドル付ナット４５ｂから構成された第二の固定具としての固定具４５によって連結されている。そして、図１に示すように、貫通孔４３ｃとリップ溝形鋼１４に挿通されたボルト４６ａおよびナット４６ｂから構成された第一の固定具としての固定具４６によって、軒樋吊金具４の躯体取付部４３がリップ溝形鋼１４へ取り付けられている。このようにして、躯体取付部４３は、接続部４２を介して、軒樋取付部４１と接続されている。また、このように取り付けられた躯体取付部４３は、図１および図３に示すように、波形スレート屋根５とリップ溝形鋼１４との間隙に介在している。
【００２５】
波形スレート屋根５は、図１に示すように、構造体１の上部を覆う屋根部５１と、屋根部５１から湾曲されて下垂された軒先部５２とから構成されている。波形スレート屋根５の波の形状は、山部と谷部が水平方向へ交互に形成されている。波形スレート屋根５の屋根部５１は、波形スレート屋根５に挿通されたチャンネルボルト（不図示）とナット（不図示）から構成された固定具によって、母屋としてのリップ溝形鋼（不図示）へ固定されている。一方、波形スレート屋根５の軒先部５２は、図１および図３に示すように、波形スレート屋根５に挿通されたチャンネルボルト５３ａとナット５３ｂから構成された固定具５３によって、リップ溝形鋼１４へ固定されている。
【００２６】
以上の構成の下、波形スレート屋根５を流れ落ちる雨水が軒樋３へ流入されるように、以下のような手順で、波形スレート２、軒樋吊金具４、および波形スレート屋根５を取り付ける作業が行われ、軒先部５２の下方に軒樋３が配置される。
【００２７】
まず、構造体１に対してブラケット１１，１２やリップ溝形鋼１３，１４を固定する。具体的には、構造体１に支持面１１ａが上方Ｕとなるように、ブラケット１１を固定するとともに、支持面１１ａにリップ溝形鋼１３を固定する。さらに、構造体１に、支持面１２ａが下方Ｄとなるように、ブラケット１２を固定するとともに、支持面１２ａにリップ溝形鋼１４を固定する。
【００２８】
次いで、波形スレート２を、構造体１へ取り付ける。具体的には、リップ溝形鋼１４の溝へ波形スレート２の上側端部を挿入させるとともに、リップ溝形鋼１３の前側端面に波形スレート２を当接させて固定する。
【００２９】
次いで、軒樋吊金具４を、リップ溝形鋼１４へ取り付ける。具体的には、波形スレート屋根５が取り付けられた場合に軒先部５２を流れ落ちる雨水が軒樋３へ流入されるように、前後方向Ｂおよび上下方向Ａにおける軒樋吊金具４の長さを調整し、軒樋吊金具４をリップ溝形鋼１４へ固定する。前後方向Ｂにおける軒樋吊金具４の長さの調整方法としては、長孔４１ｅに挿通されたボルト４４ａの長孔における位置を変えることによって調整する。また、上下方向における軒樋吊金具４の長さの調整方法としては、長孔４２ｄに挿通されたボルト４５ａの長孔における位置を変えることによって調整する。そして、ボルト４４ａとハンドル付ナット４４ｂを締めるとともに、ボルト４５ａとハンドル付ナット４５ｂを締める。このようにして、躯体取付部４３と接続部４２が、上下方向Ａにおける軒樋吊金具４の長さが所定の長さになるように、固定具４５によって連結されている。また、リップ溝形鋼１４への固定方法としては、躯体取付部４３の係止片４３ｄとリップ溝形鋼１４の上側端面を係合させて、躯体当接壁部４３ａがリップ溝形鋼１４の前側端面に当接した状態となるようする。従って、躯体取付部４３がリップ溝形鋼１４へ取り付けられる際に、係止片４３ｄがリップ溝形鋼１４と係合することにより、躯体取付部４３とリップ溝形鋼１４は係止されている。そして、貫通孔４３ｃに挿通されたボルト４６ａとナット４６ｂを締めつけて、軒樋吊金具４をリップ溝形鋼１４へ固定する。
【００３０】
次いで、波形スレート屋根５を、リップ溝形鋼１４等へ取り付ける。具体的には、波形スレート屋根５の屋根部５１を、母屋としてのリップ溝形鋼（不図示）へ固定し、波形スレート屋根５の軒先部５２に挿通されたチャンネルボルト５３ａとナット５３ｂを締めつけて、波形スレート屋根５の軒先部５２をリップ溝形鋼１４へ固定する。
【００３１】
また、軒樋吊金具４がリップ溝形鋼１４へ取り付けられた後において、軒樋３を軒樋吊金具４へ取り付ける。具体的には、溝３２に前側保持部４１ｃを差し込んで係合させる。そして、溝３２と前側保持部４１ｃを係合させた状態で、突出部３１を後側保持部４１ｂと係止板４１ｄの間に差し込み、突出部３１と後側保持部４１ｂを係合させる。このように軒樋３と軒樋吊金具４の前側および後側を係合させることで、後側保持部４１ｂと突出部３１が係止されるとともに、前側保持部４１ｃと溝３２が係止された状態となる。また、突出部３１が後側保持部４１ｂと係止板４１ｄの間に差し込まれた場合に、係止板４１ｄが突出部３１の凹部３１ａに差し込まれ、後側保持部４１ｂと突出部３１がより確実に係止される。
【００３２】
上記実施形態の波形スレート屋根用の軒樋吊り具の取付構造によれば、以下のような効果を得ることができる。
（１）軒樋吊金具４の躯体取付部４３はリップ溝形鋼１４へ取り付けられているため、軒樋吊金具４が波形スレート屋根５へ取り付けられる必要がなくなる。従って、軒樋吊金具４が波形スレート屋根５へ取り付けられる場合と比べ、波形スレート屋根５の強度低下を防ぐことができる。
【００３３】
（２）躯体取付部４３は、波形スレート屋根５とリップ溝形鋼１４との間隙に介在するため、固定具４６が波形スレート屋根５の前方Ｆに露出することがない。従って、波形スレート屋根５の見栄えを良くすることができる。
【００３４】
（３）軒樋吊金具４は波形スレート屋根５へ取り付けられる必要がないため、波形スレート屋根５を構成する波形状の山部に対して軒樋吊金具４の躯体取付部４３を位置合わせする必要がなくなる。従って、軒樋吊金具４を取り付ける際の作業性を向上することができる。
【００３５】
（４）軒樋吊金具４の上下方向Ａの長さを所定の長さとすることができる。従って、軒先部５２の上下方向Ａの長さに応じて、軒先部５２の下方Ｄに配置される軒樋３の位置を調整することができる。
【００３６】
（５）軒樋吊金具４の躯体取付部４３をリップ溝形鋼１４へ取り付ける前において、軒樋吊金具４の移動を規制することができる。従って、軒樋吊金具４を取り付ける際の作業性をより一層向上することができる。
【００３７】
なお、本発明は、上記実施形態に限定されるものではなく、本発明の趣旨に基づいて種々の設計変更をすることが可能であり、それらを本発明の範囲から除外するものではない。例えば、以下のように変更してもよい。
【００３８】
・上記実施形態においては、躯体取付部４３が係止片４３ｄを備えているが、係止片４３ｄを備えないようにしてもよい。この場合、上記（５）の効果を得ることはできないが、上記（１）〜（４）の効果を得ることができる。
【００３９】
・軒樋吊金具４が、図４に示すように、接続部４２を備えないようにしてもよい。即ち、このような軒樋吊金具４は、図４に示すように、躯体取付部４３の下側端部が軒先部５２の下側端部よりも下方Ｄへ延びるように、躯体取付部４３が上下方向に延びて形成されている。また、貫通孔４３ｂを有する躯体取付部４３の下側端部は、前方へ延びて形成され、躯体取付部４３は、軒樋取付部４１の接続壁部４１ａと当接する接続壁部４３ｅを備えている。そして、長孔４１ｅと貫通孔４３ｂに挿通されたボルト４５ａとハンドル付ナット４５ｂから構成される固定具４４によって、躯体取付部４３は、軒樋取付部４１と接続されている。この場合、上記（４）の効果を得ることはできないが、上記（１）〜（３）、および（５）の効果を得ることができる。
【００４０】
・上記実施形態においては、接続部４２には長孔４２ｄが形成され、躯体取付部４３には貫通孔４３ｂが形成されていたが、接続部４２には貫通孔が形成され、躯体取付部４３に上下方向Ａに延びた長孔が形成されていてもよい。そして、躯体取付部４３と接続部４２が、上下方向Ａにおける軒樋吊金具４の長さが所定の長さになるように、躯体取付部４３の長孔に挿通されたボルトおよびナットから構成された固定具によって連結されていてもよい。即ち、躯体取付部４３および接続部４２の少なくとも一方に、上下方向に延びた長孔が形成され、上述したように躯体取付部４３と接続部４２が連結され、躯体取付部４３は、接続部４２を介して、軒樋取付部４１と接続されていれば、上記（４）の効果を得ることができる。
【００４１】
・上記実施形態においては、軒樋吊金具４の躯体取付部４３がリップ溝形鋼１４へ取り付けられているが、リップ溝形鋼１４以外の躯体（例えば、柱、梁または受け材）へ取り付けるようにしてもよい。
【００４２】
・上記実施形態における取り付け作業においては、リップ溝形鋼１４へ躯体取付部４３を取り付けた後に、波形スレート屋根５を取り付けているが、波形スレート屋根５を取り付けた後に、リップ溝形鋼１４へ躯体取付部４３を取り付けるようにしてもよい。
【図面の簡単な説明】
【００４３】
【図１】本発明の実施形態に係る波形スレート屋根用の軒樋吊り具の取付構造を示す一部断面図である。
【図２】本発明の実施形態における軒樋吊り具を示す斜視図である。
【図３】図１におけるＳ−Ｓ断面図である。
【図４】変形例に係る波形スレート屋根用の軒樋吊り具の取付構造を示す一部断面図である。
【図５】従来の波形スレート屋根用の軒樋吊り具の取付構造を示す一部断面図である。
【符号の説明】
【００４４】
１…構造体、２…波形スレート、３…軒樋、４…軒樋吊金具（軒樋吊り具）、５…波形スレート屋根、１１，１２…ブラケット、１３…リップ溝形鋼、１４…リップ溝形鋼（躯体）、３１…突出部、３２…溝、４１…軒樋取付部、４２…接続部、４２ｄ…長孔、４３…躯体取付部、４３ｄ…係止片、４４…固定具、４５…固定具（第二の固定具）、４６…固定具（第一の固定具）、５１…屋根部、５２…軒先部、５３…固定具。
【図１】
2008144422.tif 000003
【図２】
2008144422.tif 000004
【図３】
2008144422.tif 000005
【図４】
2008144422.tif 000006
【図５】
2008144422.tif 000007